(57)【要約】【課題】スライド継手において、詰まりを抑制する。【解決手段】排水管路２と排水ます３の流入部７とを接続する接続構造１０は、スライド継手１１と、スライド継手１１に挿入される挿入管１２とを備えている。スライド継手１１は、一端側に開口が形成された直管部２１と、直管部２１の他端側に連続する曲管部２２とを備えている。直管部２１の長さＸは、挿入管１２の接合しろの長さｈよりも長い。挿入管１２を直管部２１の開口から挿入すると、挿入管１２の一端は、曲管部２２の内壁面部に当接してそれ以上の進入を規制される。【選択図】図５
2009041632.tif 000002
【特許請求の範囲】
【請求項１】
一端側に開口が形成されかつ内壁面を有する直管部と、前記直管部の他端側に連続する曲管部とを備え、前記直管部の内径に略等しい外径を有する挿入管が前記開口から嵌め込まれるスライド継手であって、
前記曲管部は、前記直管部の内壁面と連続し、前記直管部の一端側から前記直管部の軸方向に沿って視たときに前記開口の内側にせり出した内壁面部を有し、
前記挿入管を前記開口から挿入すると、前記挿入管の一端は、前記曲管部の前記内壁面部に当接してそれ以上の進入を規制される、スライド継手。
【請求項２】
請求項１に記載のスライド継手であって、
前記直管部の長さは、前記挿入管の接合しろの長さの２倍以上である、スライド継手。
【請求項３】
請求項１または２に記載のスライド継手であって、
前記曲管部の他端側に連続し、管状部材が差し込まれる受け口または管状部材に差し込まれる差し口からなる連結部を備え、
前記直管部の長さは、前記連結部の長さよりも長い、スライド継手。
【請求項４】
請求項１〜３のいずれか１つに記載のスライド継手であって、
前記直管部の一端部の内壁面には、前記挿入管が挿入される際に、前記挿入管の外壁面と前記直管部の内壁面との隙間を閉塞する環状のシール部材が取り付けられている、スライド継手。
【請求項５】
所定の第１の位置に配置された排水管路と、前記第１の位置よりも低い所定の第２の位置に配置された排水ますの管状の流入部とを接続するための接続構造であって、
請求項１〜４のいずれか１つに記載のスライド継手と、
前記スライド継手の前記直管部の内径に略等しい外径を有し、前記開口から前記スライド継手内部に嵌め込まれる挿入管とを備える、接続構造。
【請求項６】
請求項５に記載の接続構造であって、
前記スライド継手は、前記挿入管よりも前記排水ます側に配置される、接続構造。
【請求項７】
請求項６に記載の接続構造であって、
前記挿入管は上下方向に延びる様に配置される、接続構造。
【請求項８】
請求項５〜７のいずれか一つに記載の接続構造であって、
前記排水管路は、前記挿入管が差し込まれる受け口を有し、
前記直管部の長さは、前記挿入管と前記排水管路との接合しろの長さの２倍以上である、接続構造。
【請求項９】
請求項５〜７のいずれか一つに記載の接続構造であって、
前記排水管路は、前記挿入管が差し込まれる受け口を有し、
前記直管部の長さは、前記挿入管と前記スライド継手との接合しろの長さと前記挿入管と前記排水管路との接合しろの長さとを足し合わせた長さ以上である、接続構造。
【発明の詳細な説明】
【技術分野】
【０００１】
本発明は、スライド継手およびそれを用いた接続構造に関する。
【背景技術】
【０００２】
通常、宅地等の建物の基礎周辺には、家屋等から排出される排水を合流させる排水ますが設けられている。排水ますは、屋内から屋外に跨って配設される排水管や管継手からなる排水管路に対し、接続用配管を介して接続される。通常、排水ますを排水管路に接続する際には、まず、排水管路と排水ますとをそれぞれ所定の位置に配設した後、接続用配管の一端を排水管路に接続し、接続用配管の他端を排水ますに接続する。
【０００３】
しかしながら、接続用配管の一端と排水管路との接続に際しては、両者の間に重なり部分すなわち接合しろが必要である。また、接続用配管の他端と排水ますとにも、接合しろが必要である。そのため、接続用配管の長さは、それら接合しろの長さの分だけ、排水管路と排水ますとの間のスペースよりも長くなる。すなわち、接続用配管の接続にあたっては、排水管路と排水ますとの間のスペースに、そのスペースよりも長い接続用配管を嵌め込まなければならない。
【０００４】
ところが、何らかの工夫を施さなければ、排水管路と排水ますとの間に、それらの間のスペースよりも長い接続用配管を嵌め込むことは、困難な作業となる。また、近年、特に都市部では土地の有効利用の観点から屋外の配管スペースが小さくなる傾向にある。そのため、上記接続用配管を取り付ける作業は一層困難になっている。そこで、以前より、このような場合に、スライド継手が用いられている（例えば、特許文献１参照）。
【０００５】
上記スライド継手は、真っ直ぐに延びる略筒形状に形成されている。このスライド継手の一端側には、連結用配管の一端部を差し込むための接合部が形成されている。当該接合部は、通常の接合部よりも軸方向に長く形成されている。そのため、接合部に連結用配管をいったん多めに差し込み、その後に当該連結用配管を管軸方向に沿って若干引き出すことができる。ただし、連結用配管が過剰に差し込まれないように、スライド継手の接合部の最奥部には、段差部が形成されている。
【０００６】
上記スライド継手を用いて排水管路と排水ますとを接続するにあたっては、まず、連結用配管の一端部をスライド継手の接合部内に差し込む。このとき、連結用配管の一端部が接合部内面に形成された段差部に突き当たるまで、連結用配管の一端部をスライド継手の接合部内に差し込む。そして、連結用配管が差し込まれたスライド継手の他端部を排水ますの管状の流入部に差し込む。次に、スライド継手に差し込まれた連結用配管を管軸方向に沿って排水管路側にスライドさせ、連結用配管の他端部を排水管路の開口部から内部に差し込んでいく。
【特許文献１】実開昭６０−３６４６９号公報
【発明の開示】
【発明が解決しようとする課題】
【０００７】
以上のように、スライド継手を用いることにより、位置が固定された排水管路と排水ますとを容易に接続することができる。しかしながら、上述したように、特許文献１に記載されたスライド継手の接合部内面には、連結用配管の一端部がそれ以上差し込まれないように連結用配管の挿入を規制する段差部が形成されている。そのため、設置後に当該段差部に排水中の固形物がひっかかり、詰まりの要因となることがある。
【０００８】
本発明は、かかる点に鑑みてなされたものであり、その目的とするところは、スライド継手において、連結用配管（以下、挿入管という）の過剰な挿入を規制するための段差部に起因する詰まりを抑制することにある。
【課題を解決するための手段】
【０００９】
本発明に係るスライド継手は、一端側に開口が形成されかつ内壁面を有する直管部と、前記直管部の他端側に連続する曲管部とを備え、前記直管部の内径に略等しい外径を有する挿入管が前記開口から嵌め込まれるスライド継手であって、前記曲管部は、前記直管部の内壁面と連続し、前記直管部の一端側から前記直管部の軸方向に沿って視たときに、前記開口の内側にせり出した内壁面部を有し、前記挿入管を前記開口から挿入すると、前記挿入管の一端は、前記曲管部の前記内壁面部に当接してそれ以上の進入を規制されるものである。
【００１０】
従来のスライド継手では、スライド継手の内壁面に段差部を形成し、この段差部によって挿入管が必要以上に挿入されない様に規制することとしていた。しかし、上記スライド継手によれば、挿入管を挿入した際に、挿入管の一端が内壁面部に当接することによって、挿入管の過剰な挿入が規制される。すなわち、スライド継手の内壁面の一部（内壁面部）が挿入管を規制するストッパ部を兼ねている。そのため、上記スライド継手によれば、従来のスライド継手と異なり、内壁面に段差部を設ける必要がない。したがって、上記スライド継手によれば、ごみや土砂等のひっかかりや排水の詰まり等を抑制することができる。
【００１１】
前記直管部の長さは、前記挿入管の接合しろの長さの２倍以上であることが好ましい。
【００１２】
ここで、「接合しろの長さ」とは、上記挿入管のうち、上記挿入管を継手または他の管と接合する際に最低限必要とされる接合部分（継手または他の管と重なる部分）の軸方向の長さを言う。接合しろは、通常、管の材料や呼び径によってそれぞれ規定されている。
【００１３】
上記スライド継手によれば、挿入管を接合しろの長さの２倍の長さ以上挿入することができる。通常、挿入管の接合しろの長さは、挿入管の両端部で略等しい。そのため、挿入管の一端部をスライド継手内に接合しろ長さの２倍以上挿入し、その後、スライド継手への挿入量が接合しろ長さと等しくなるまで引き出した場合、挿入管の他端部は、接合しろ長さ以上にスライドすることになる。したがって、上記スライド継手によれば、挿入管の他端部の移動量を大きく確保することができ、配管作業を容易化することができる。
【００１４】
前記スライド継手は、前記曲管部の他端側に連続し、管状部材が差し込まれる受け口または管状部材に差し込まれる差し口からなる連結部を備え、前記直管部の長さは、前記連結部の長さよりも長くてもよい。
【００１５】
ここで、連結部の長さとは、連結部が受け口の場合、当該受け口に管状部材が差し込まれたときの管状部材の差し込み量を言う。また、連結部が差し口の場合、管状部材に当該差し口を差し込んだときの差し口の差し込み量を言う。
【００１６】
このことにより、上述の作用効果を奏する好適なスライド継手を得ることができる。
【００１７】
前記直管部の一端部の内壁面には、前記挿入管が挿入される際に、前記挿入管の外壁面と前記直管部の内壁面との隙間を閉塞する環状のシール部材が取り付けられていることが好ましい。
【００１８】
上記スライド継手によれば、挿入管を挿入した後、挿入管とスライド継手との隙間を改めてシールする必要がなく、挿入管を挿入するだけでスライド継手と挿入管との隙間をシールすることができる。
【００１９】
本発明に係る接続構造は、所定の第１の位置に固定された排水管路と、前記第１の位置よりも低い所定の第２の位置に固定された排水ますの管状の流入部とを接続するための接続構造であって、前記スライド継手と、前記スライド継手の前記直管部の内径に略等しい外径を有し、前記開口から前記スライド継手内部に嵌め込まれる挿入管と、を備えるものである。
【００２０】
ここで、排水管路は排水を流通させるものを言い、排水管のみにより構成されていてもよく、排水管と管継手とにより構成されていてもよい。
【００２１】
上記接続構造は、上記スライド継手を備えている。そのため、上記接続構造によれば、所定の位置に配置された排水管路と排水ますとの間において、挿入管をスライド継手に対してスライドさせることによって、上記接続構造の長さを調節することが可能となる。したがって、上記接続構造によれば、位置が固定された排水管路と排水ますの流入部とを容易に接続することができる。
【００２２】
また、排水管路と排水ますの流入部とは異なる高さ位置に固定されている。そのため、排水管路と排水ますの流入部とを接続するためには、直管だけでなく曲管を用いる必要がある。しかしながら、上記接続構造は、曲管部を有するスライド継手を備えている。これにより、上記接続構造のスライド継手は、曲管としての機能も兼ね備えている。そのため、上記接続構造によれば、排水管路と排水ますの流入部との接続に必要となる曲管を１つ省略することができる。したがって、上記接続構造によれば、所定の位置に固定された排水管路と排水ますの流入部とを接続する構造をコンパクト化することができる。
【００２３】
前記スライド継手は、前記挿入管よりも前記排水ます側に配置されることが好ましい。
【００２４】
このことにより、スライド継手は挿入管よりも下流側に配置される。挿入管の端面が軸方向に対して直交する面である場合、上記スライド継手内に挿入管が挿入されると、挿入管の端部によって上記スライド継手内に段差が生じる。すなわち、挿入管の内径はスライド継手の直管部の内径よりも小さいので、その内径の変化によって段差が生じる。しかし、スライド継手を挿入管よりも下流側に配置することで、排水は、内径の小さい挿入管から内径の大きいスライド継手に向かって流れることとなる。そのため、上記段差は下流側に向かって乗り上げるような段差ではなく、下流側に向かって下げるような段差となるので、排水中のごみ等が当該段差にひっかかることを抑制することができ、詰まりを抑制することができる。
【００２５】
前記挿入管は上下方向に延びる様に配置されることが好ましい。
【００２６】
このことにより、上記段差は水平方向の段差となるので、上下方向の段差は生じない。したがって、排水中のごみ等が当該段差部にひっかかることがさらに抑制され、詰まりをより一層抑制することができる。
【００２７】
前記排水管路は、前記挿入管が差し込まれる受け口を有し、前記直管部の長さは、前記挿入管と前記排水管路との接合しろの長さの２倍以上であることが好ましい。
【００２８】
前記排水管路は、前記挿入管が差し込まれる受け口を有し、前記直管部の長さは、前記挿入管と前記スライド継手との接合しろと前記挿入管と前記排水管路との接合しろの長さとを足し合わせた長さ以上であることが好ましい。
【００２９】
上記各接続構造によれば、挿入管の一端をスライド継手に挿入し、スライド継手内でスライドさせることにより、スライド継手の他端を、当該他端側の接合しろの長さ以上にスライドさせることができる。したがって、挿入管の他端部の移動量を大きく確保することができ、配管作業を容易化することができる。
【発明の効果】
【００３０】
以上のように、本発明によれば、スライド継手において、挿入管の過剰な挿入を規制するための段差部に起因する詰まりを抑制することができる。
【発明を実施するための最良の形態】
【００３１】
以下、本発明の実施形態を図面に基づいて詳細に説明する。本実施形態では、本発明に係るスライド継手が用いられる場合の一例として、家屋内からの排水を屋外で合流させるための排水システムの一部として用いられる場合について説明する。なお、本発明に係るスライド継手が用いられる場合はこれに限定されるものではない。
【００３２】
《排水システム１》
図１は、本実施形態に係る家屋１００内からの排水を屋外で合流させるための排水システム１の構成を示す図である。排水システム１は、家屋１００の内外に跨って配設された排水管路２と、屋外の所定の位置に配置された排水ます３と、排水管路２と排水ます３とを接続する接続構造１０とを備えている。
【００３３】
本実施形態では、排水管路２は、家屋１００の内外に跨って配設された貫通管４と、曲がり継手５とから構成されている。貫通管４の一部は、家屋１００の基礎に埋設されている。曲がり継手５は、一端部が貫通管４の屋外側端に接合されている。曲がり継手５は、一端部から略水平方向に延びた後、下方に向かって湾曲している。そして、曲がり継手５の他端部は下方に向かって開口している。曲がり継手５の他端部には、管が差し込まれる受け口５ａが形成されている。
【００３４】
排水ます３は、ます本体６と、ます本体６内に形成された排水流路５０に排水を導くための流入部７と、ます本体６から上下方向に延びる略円筒形状の立ち上がり管８と、立ち上がり管８の上部に取り付けられた蓋（図示省略）とを有している。流入部７は、管状に形成され、本体６の内外を貫く様に設けられている。流入部７の外側部分には、管を差し込むための受け口７ａが形成されている。
【００３５】
《接続構造１０の構成》
接続構造１０は、スライド継手１１と、スライド継手１１に挿入される挿入管１２とを備えている。また、本実施形態では、接続構造１０は、スライド継手１１と排水ます３の流入部７とを接続するための短管１３を備えている。
【００３６】
図２は、スライド継手１１の側面断面図である。スライド継手１１は、直管部２１と、直管部２１に連続する曲管部２２と、曲管部２２に連続し、管状部材（管、排水ますの差し口等）を差し込み可能な受け口２３とを有している。
【００３７】
図３は、図１の状態におけるスライド継手１１および挿入管１２の一部を示す側面断面図である。図３に示すように、直管部２１は、一端側に挿入管１２が挿入される開口２１ａが形成されている。また、スライド継手１１の直管部２１は、挿入管１２の外径に略等しい内径Ｌを有している。このようにして、直管部２１は、開口２１ａから挿入管１２を挿入可能に形成されている。また、直管部２１の一端部の内壁面２１ｂには、周方向に延びる凹部２１ｃが形成されている。凹部２１ｃには、環状のシール部材２４が嵌め込まれている。
【００３８】
曲管部２２は、直管部２１の他端側（開口２１ａと逆側）に連続する様に形成されている。曲管部２２は、直管部２１の他端側の内壁面に連続し、直管部２１の一端側から直管部２１の軸方向を視たときに、開口２１ａの内側にせり出した内壁面部２２ａを有している。なお、本実施形態では、曲管部２２は、スライド継手１１内部に形成される排水流路が当該内壁面部２２ａによって略９０度曲げられる様に形成されている。
【００３９】
スライド継手１１は、直管部２１の受口深さＨが挿入管１２の接合しろの長さｈ以上の長さとなる様に形成されている。ここで、接合しろの長さｈとは、管を接合する際に最低限必要とされる接合部分（互いの管が重なる部分）の長さを言い、通常、管の呼び径によってそれぞれ規定されている。
【００４０】
また、図４は、スライド継手１１内の最も奥側まで挿入管１２を挿入した際のスライド継手１１および挿入管１２の一部を示す側面断面図である。図４に示すように、スライド継手１１は、挿入管１２を、接合しろの長さｈよりも長い所定の長さＸだけ挿入可能に形成されている。具体的には、直管部２１の長さＸが接合しろの長さｈよりも長くなる様に形成されている。これにより、挿入管１２を挿入すると、挿入管１２の一端は、接合しろの長さｈよりも長い直管部１２の長さＸだけ挿入されたところで曲管部２２の内壁面部２２ａと当接し、それ以上の進入を規制されることとなる。
【００４１】
また、本実施形態では、直管部２１の長さＸは、受け口２３の長さＨ１よりも長くなる様に設定されている。これにより、本実施形態では、スライド継手１１に挿入管１２を、受け口２３の長さＨ１よりも長く挿入することができる。なお、受け口２３の長さＨ１とは、当該受け口２３に管状部材（短管１３等の管、排水ますの差し口等）が差し込まれたときの、管状部材の差し込み量を言う。
【００４２】
さらに、直管部２１の長さＸは、接合しろの長さｈの２倍以上となる様に設定されることが好ましい。本実施形態では、図５に示すように、スライド継手１１は、直管部２１の長さＸが、接合しろの長さｈの略２倍以上となる様に形成されている。これにより、本実施形態では、スライド継手１１に挿入管１２を、接合しろの長さｈの略２倍の長さ以上挿入することができる。
【００４３】
なお、曲がり継手５の種類により、曲がり継手５と挿入管１２との接合しろの長さｈ２は、スライド継手１１と挿入管１２との接合しろの長さｈと等しくならない場合がある。このような場合、直管部２１の長さＸは、スライド継手１１と挿入管１２との接合しろの長さｈと、曲がり継手５と挿入管１２との接合しろの長さｈ２とを足し合わせた長さ以上となる様に設定されることが好ましい。そのように直管部２１の長さＸを設定することにより、スライド継手１１に挿入管１２を、スライド継手１１と挿入管１２との接合しろの長さｈと、曲がり継手５と挿入管１２との接合しろの長さｈ２とを足し合わせた長さ以上挿入することが可能となる。
【００４４】
図１に示すように、スライド継手１１の受け口２３と排水ます３の流入部７の受け口７ａとには、それぞれ短管１３の端部が差し込まれて接合されている。これにより、スライド継手１１は、排水ます３に接続されている。
【００４５】
挿入管１２の一端部は、スライド継手１１と接合されており、他端部は排水管路２の曲がり継手５の受け口５ａと接合されている。これにより、挿入管１２は、スライド継手１１および排水管路２に接続されている。
【００４６】
以上のようにそれぞれ接続されることにより、スライド継手１１は、挿入管１２よりも下流側である排水ます側に配置されることとなる。また、挿入管１２は、上下方向に延びる様に配置されることとなる。
【００４７】
以上が排水システム１の構成である。次に、それぞれ位置が固定された排水管路２と排水ます３の流入部７とを、接続構造１０を用いて接続する際の手順を説明する。なお、排水管路２の貫通管４は家屋１００の基礎に埋設されて位置が固定されているものとする。また、貫通管４の外部端には曲がり継手５がすでに取り付けられているものとする。また、排水ます３も所定の位置に固定されているものとする。
【００４８】
《排水管路２と排水ます３の流入部７との接続手順》
まず、やりとり継手１１内に挿入管１２を挿入する。このとき、やりとり継手１１の直管部２１の内径Ｌは挿入管１２の外径に略等しい。そのため、挿入管１２は、直管部２１の内部に円滑に挿入されていく。そして、挿入管１２が直管部２１の長さＸと等しい長さだけ挿入されて挿入管１２の一端が直管部２１の他端まで達すると、挿入管１２の一端は曲管部２２の内壁面部２２ａと当接し、それ以上の進入を規制されることとなる。なお、挿入管１２が挿入されることにより、挿入管１２の外壁面１２ａと直管部２１の内壁面２１ｂとの隙間は、凹部２１ｃに嵌め込まれた環状のシール部材２４によって封止される。
【００４９】
そして、挿入管１２を挿入した状態でスライド継手１１を排水ます３に接続する。具体的には、短管１３の一端部をスライド継手１１の受け口２３に挿入し、接着剤等を用いて固定する。また、短管１３の他端部を排水ます３の流入部７の受け口７ａに挿入し、接着剤等を用いて固定する。これにより、スライド継手１１は、排水ます３の流入部７と接続される。
【００５０】
なお、図５に示すように、挿入管１２は、接合しろの長さｈの２倍以上、または、スライド継手１１と挿入管１２との接合しろの長さｈと曲がり継手５と挿入管１２との接合しろの長さｈ２とを足し合わせた長さ以上の長さ分、スライド継手１１内に挿入されている。そのため、挿入管１２の上端部１２ｂは、曲がり継手５の受け口５ａの下端部よりも僅かに下方に位置することとなる。したがって、挿入管１２と曲がり継手５とがひっかかることなく、挿入管１２を曲がり継手５の受け口５ａに対向させることができる。
【００５１】
そして、上記状態において、挿入管１２を上方へスライドさせ、挿入管１２をスライド継手１１内から徐々に引き出していく。これにより、挿入管１２の上端部１２ｂは、曲がり継手５の受け口５ａ内に挿入されていく。挿入管１２の上端部１２ｂが曲がり継手５の受け口５ａ内に形成された段差部に当接するまで挿入管１２を上方へスライドさせる。そして、接着剤等により挿入管１２を固定すると共にシールする。なお、挿入管１２とスライド継手１１との隙間は、前述のシール部材２４によってシールされている。
【００５２】
以上のように、本実施形態に係るスライド継手１１によれば、直管部２１の長さＸが接合しろの長さｈよりも長いため、挿入管１２を所定の接合しろの長さｈよりも長く挿入させることができる。これにより、本スライド継手１１内に挿入管１２を挿入するまたは引き出すことにより、挿入管１２のスライド継手１１に挿入されていない側の端部（上端部１２ｂ）のスライド継手１１に対する位置を調節することができる。そのため、スライド継手１１を用いて挿入管１２の上端部１２ｂの位置を調節することにより、排水管路２と排水ます３との間において接続構造１０の長さを調節することができる。したがって、本スライド継手１１およびそれを備えた接続構造１０によれば、位置が固定された排水管路２と排水ます３の流入部７とを容易に接続することができる。
【００５３】
また、従来のスライド継手では、スライド継手内壁面に段差部を形成し、段差部によって挿入管が必要以上に挿入されない様に規制することとしていた。しかし、本スライド継手１１は、直管部２１の他端に連続した曲管部２２を備え、曲管部２２は、直管部２１の一端側から直管部２１の軸方向を視たときに、開口２１ａの内側にせり出す内壁面部２２ａを有している。この内壁面部２２ａは、直管部２１の内壁面２１ｂと段差なく連続している。これにより、挿入管１２を所定量だけ挿入すると、挿入管１２の一端は内壁面部２２ａに当接し、挿入管１２のそれ以上の挿入が阻止される。これにより、挿入管１２の挿入量を所定の長さＸ（直管部２１の長さＸ）に規制することができる。そのため、本スライド継手１１によれば、従来のスライド継手のように、挿入管１２の挿入量を規制するために内壁面２１ｂ，２２ａに段差部を設ける必要がない。したがって、本スライド継手１１によれば、ごみや土砂等のひっかかりや排水の詰まり等を抑制することができる。
【００５４】
また、本スライド継手１１では、直管部２１の長さＸは、挿入管１２の接合しろの長さｈの２倍以上に設定されている。これにより、スライド継手１１に挿入管１２を、接合しろの長さｈの略２倍の長さ以上挿入することができる。なお、通常、挿入管１２の接合しろの長さｈは、両端部で略等しい。そのため、挿入管１２を直管部２１の他端部（開口２１ａと反対側の端部）まで挿入させておくことにより、挿入管１２の排水管路２側端部（上端部１２ｂ）の位置を、接合時の位置より少なくとも接合しろの長さｈ分、スライド継手１１側にずらすことができる。これにより、挿入管１２と排水管路２とを接続する際、挿入管１２の排水管路２側端部（上端部１２ｂ）を、排水管路２にひっかけることなく排水管路２に対向させることができる。したがって、本スライド継手１１およびそれを備えた接続構造１０によれば、位置が固定された排水管路２と排水ます３の流入部７とを容易に接続することができる。
【００５５】
なお、上述したとおり、曲がり継手５の種類により、曲がり継手５と挿入管１２との接合しろの長さｈ２は、スライド継手１１と挿入管１２との接合しろの長さｈと等しくならない場合がある。このような場合、直管部２１の長さＸを、スライド継手１１と挿入管１２との接合しろの長さｈと、曲がり継手５と挿入管１２との接合しろの長さｈ２とを足し合わせた長さ以上となる様に設定することが好ましい。
【００５６】
そのように直管部２１の長さＸを設定することにより、スライド継手１１に挿入管１２を、スライド継手１１と挿入管１２との接合しろの長さｈと、曲がり継手５と挿入管１２との接合しろの長さｈ２とを足し合わせた長さ以上挿入することが可能となる。そして、このことにより、挿入管１２を直管部２１の他端部（開口２１ａと反対側の端部）まで挿入させておくことで、挿入管１２の排水管路２側端部（上端部１２ｂ）の位置を、接合されたときの位置より、少なくとも曲がり継手５と挿入管１２との接合しろの長さｈ２分、スライド継手１１側にずらすことができる。したがって、このような接続構造１０によっても、互いに位置が固定された排水管路２と排水ます３の流入部７とを容易に接続することができる。
【００５７】
また、本スライド継手１１は、直管部２１の長さＸがスライド継手１１の受け口２３の長さＨよりも長くなる様に形成されている。
【００５８】
本スライド継手１１によれば、挿入管１２を通常規格の受け口２３の長さよりも長く挿入させることができる。したがって、本スライド継手１１を用いて挿入管１２の上端部１２ｂの位置を調節することにより、位置が固定された排水管路２と排水ます３の流入部７とを容易に接続することができる。
【００５９】
また、本スライド継手１１の直管部２１の凹部２１ｃには、環状のシール部材２４が取り付けられている。そのため、本スライド継手１１によれば、挿入管１２を挿入した後、挿入管１２とスライド継手１１との隙間を改めてシールする必要がなく、挿入管１２を挿入すると同時にスライド継手１１と挿入管１２との隙間をシールすることができる。
【００６０】
また、排水管路２と排水ます３の流入部７とは異なる高さ位置に固定されている。そのため、両者を接続するためには、直管だけでなく曲管を用いる必要がある。しかしながら、本接続構造１０は、曲管部２２を有するスライド継手１１を備えている。これにより、本接続構造１０のスライド継手１１は、曲管としての機能も兼ね備えている。そのため、本接続構造１０によれば、排水管路２と排水ます３の流入部７との接続に必要となる曲管を１つ省略することができる。したがって、本接続構造１０によれば、所定の位置に固定された排水管路２と排水ます３の流入部７とを接続する構造をコンパクト化することができる。
【００６１】
さらに、本接続構造１０では、スライド継手１１は、挿入管１２よりも排水ます３側に配置されている。このことにより、スライド継手１１は挿入管１２よりも下流側に配置されることとなる。ところで、スライド継手１１内に挿入管１２が挿入されると、スライド継手１１内には挿入管１２によって段差が生じる。しかし、スライド継手１１を挿入管１２よりも下流側に配置することで、内径の小さい挿入管１２から内径の大きいスライド継手１１に向かって排水が流れることとなる。そのため、挿入管１２からスライド継手１１方向へ流れる排水は、上記段差を乗り上げることがない。すなわち、上記段差は、上流側から下流側に向かって乗り上げるような形状の段差ではなく、下流側に向かって下がるような段差である。したがって、排水中のごみ等が当該段差にひっかかることを抑制することができ、詰まりを抑制することができる。
【００６２】
また、本接続構造１０では、挿入管１２は上下方向に延びる様に配置されている。このことにより、上記段差は、上下の段差ではなく、水平方向の段差となる。そのため、挿入管１２からスライド継手１１方向へ流れる排水は、上記段差を乗り上げることがない。したがって、排水中のごみ等が当該段差にひっかかることを抑制することができ、詰まりをより抑制することができる。なお、挿入管１２は上下方向に延びる様に配置されることが好ましいが、挿入管１２の配置方向は本実施形態のものに限られない。そのため、挿入管１２は、スライド継手１１の挿入管１２を挿入する側が上流側に向いていれば、横向きに配置されていてもよい。
【００６３】
図１に示すように、本実施形態では、スライド継手１１は、上方からの排水を側方に導くような姿勢に配置されている。挿入管１２は、スライド継手１１の直管部２１に上方から挿入されている。そのため、施工時に誤って挿入管１２を上方に十分に引き上げなかったとしても（図４参照）、曲管部２２の下側には、十分な大きさの流路が確保される。通常、排水は、配管内の全体を満たすいわゆる満水状態で流れるのではなく、配管内の下半分を流れる。そのため、配管内の下半分に流路を確保しておけば、実用上特に問題になることはない。したがって、本実施形態によれば、万が一、挿入管１２の一部が下方に出っ張ったとしても、挿入管１２は曲管部２２の内壁面部２２ａによって規制されるので、曲管部２２の管底部分には十分な流路を確保することができる。したがって、排水の流れを阻害するおそれはない。
【００６４】
《変形例１》
なお、本実施形態では、スライド継手１１は、曲管部２２に連続し、管状部材（管、排水ますの差し口等）を差し込み可能な受け口２３を有していた。しかし、スライド継手１１は、受け口２３の代わりに、図６に示すように、曲管部２２に連続し、管状部材（管継手の受け口、排水ますの受け口等）に差し込み可能な差し口２５を有するものであってもよい。なお、このような場合、図７に示すように、直管部２１の長さＸは、差し口２５の長さＨ２よりも長くなる様に設定される。なお、差し口２５の長さＨ２とは、管状部材（管継手の受け口、排水ますの受け口等）に当該差し口２５が差し込まれたときの、当該差し口２５の差し込み量を言う。
【００６５】
上記のスライド継手１１を用いた場合であっても、挿入管１２の上端部１２ｂの位置を調節することにより、位置が固定された排水管路２と排水ます３の流入部７とを容易に接続することができる。また、上記スライド継手１１によれば、差し口２５を、短管１３を介することなく、排水ます３の流入部７の受け口７ａに直接差し込むことができる。そのため、接続構造１０をスライド継手１１と挿入管１２のみで構成することができ、よりコンパクトに形成することができる。
【００６６】
《変形例２》
また、スライド継手１１は上記実施形態の形状に限られない。例えば、図８に示すように、曲管部２２の内壁面部２２ａの上端部２２ｂをテーパ形状に形成してもよい。
【００６７】
内壁面２２ａの上端部２２ｂをこのように形成した場合、スライド継手１１に挿入された挿入管１２の一端部は、当該テーパ形状の上端部２２ｂに当接してそれ以上の挿入が規制されることとなる。そのため、当該スライド継手１１によれば、当該テーパ形状の上端部２２ｂを設けることにより、挿入管１２の挿入量（直管部２１の長さＸ）をより正確かつ自在に設定することが可能となる。
【００６８】
《変形例３》
さらに、上記実施形態では、スライド継手１１の曲管部２２は、スライド継手１１内部に形成される排水流路が内壁面部２２ａによって略９０度曲げられる様に形成されていた。しかし、スライド継手１１はこれに限られない。例えば、図９，１０に示すように、曲管部２２は、スライド継手１１内部に形成される排水流路が内壁面部２２ａによって略４５度曲げられる様に形成されたものであってもよい。なお、図９は挿入管１２を所定の長さＸ（直管部２１の長さＸ）だけ挿入した際のスライド継手１１および挿入管１２の一部を示す側面断面図であり、図１０は接合時のスライド継手１１および挿入管１２の一部を示す側面断面図である。
【００６９】
《変形例４》
また、上記実施形態では、スライド継手１１は、直管部２１と、直管部２１に連続する曲管部２２と、曲管部２２に連続し、管状部材（管、排水ますの差し口等）を差し込み可能な受け口２３とにより構成されていた。しかし、スライド継手１１は、図１１〜１３に示すように、受け口２３を２つ備えたものであってもよい。なお、図１１は挿入管１２を所定の長さＸ（直管部２１の長さＸ）だけ挿入した際のスライド継手１１および挿入管１２の一部を示す側面断面図であり、図１２は図１１のＸＩＩ−ＸＩＩ断面図であり、図１３は接合時のスライド継手１１および挿入管１２の一部を示す側面断面図である。
【００７０】
《変形例５》
さらに、上記実施形態では、スライド継手１１の曲管部２２は、内部の流路を１度だけ湾曲させる様に形成されていた。しかし、スライド継手１１の曲管部２２は、内部の流路を複数回湾曲させる形状に形成されていてもよい。例えば、図１４，１５に示すように、スライド継手１１の曲管部２２は、Ｓ字状に形成されたものであってもよい。なお、図１４は挿入管１２を所定の長さＸ（直管部２１の長さＸ）だけ挿入した際のスライド継手１１および挿入管１２の一部を示す側面断面図であり、図１５は接合時のスライド継手１１および挿入管１２の一部を示す側面断面図である。
【００７１】
上記変形例３，４，５のいずれの場合であっても、挿入管１２を挿入するまたは引き出すことにより、挿入管１２の挿入されていない側の端部（上端部１２ｂ）のスライド継手１１に対する位置を調節することができる。そのため、上記実施形態と同様に、位置が固定された排水管路２と排水ます３の流入部７とを容易に接続することができる。また、上記変形例３，４，５のいずれの場合であっても、挿入管１２の一端部が曲管部２２の内壁面部２２ａに当接することによって、挿入管１２が所定の長さＸ（直管部２１の長さＸ）以上に挿入されない様に規制される。したがって、本スライド継手１１によれば、従来のスライド継手のように、内壁面に段差部を設ける必要がなく、ごみや土砂等のひっかかりや排水の詰まり等を抑制することができる。さらに、上記のいずれのスライド継手１１も曲管としての機能を兼ね備えている。そのため、上記変形例３，４，５のいずれのスライド継手１１を用いても、排水管路２と排水ます３の流入部７との接続に必要となる曲管を１つ省略することができる。
【００７２】
《変形例６》
また、上記実施形態では、スライド継手１１の直管部２１の凹部２１ｃには、環状のシール部材２４が嵌め込まれており、当該シール部材２４によって挿入管１２引き出し後のスライド継手１１と挿入管１２との隙間が自動的にシールされる構造となっていた。しかし、シール部材２４の設け方はこれに限られない。例えば、図１６，１７に示すようなものであってもよい。
【００７３】
具体的に説明すると、直管部２１の上端部の外壁面にネジ溝を形成しておき、当該ネジ溝と係合可能であり、断面がクランク形状のナット４１を準備する。そして、挿入管１２をスライド継手１１内に挿入した後、直管部２１の上端部に環状のシール部材２４を配置し、当該ナット４１によって当該シール部材２４を覆う。このとき、シール部材２４が挿入管１２に押し付けられない程度にナット４１を締めておく（図１６参照）。
【００７４】
そして、挿入管１２をスライド継手１１から引き出し、位置が定まったところで、ナット４１をさらに締めつける。するとナット４１は、徐々に下方に移動し、ナット４１と直管部２１の上端面によって形成される空間４２が徐々に小さくなる。そして、やがてシール部材２４はナット４１と直管部２１の上端面とによって挿入管１２側へ押し潰される（図１７参照）。
【００７５】
以上のようにして、挿入管１２とスライド継手１１との隙間が閉塞され、シールされることとなる。したがって、当該形態によれば、スライド継手１１と挿入管１２との位置関係が定まるまでは、シール部材２４は挿入管１２側へ押し付けられない。そのため、挿入管１２をスライド継手１１に対してスムーズにスライドさせることができる。したがって、スライド作業を容易に行うことができる。
【００７６】
なお、上記図１６，１７では、スライド継手１１と挿入管１２とは、ナット４１を用いてシール部材２４を挿入管１２側へ押しつけることにより、接合およびシールされていた。しかし、スライド継手１１と挿入管１２とは、円環形状の接合部材を用いて、当該接合部材を直管部２１の上端部と挿入管１２とに架け渡して接着剤で接着することにより、接合およびシールすることとしてもよい。
【産業上の利用可能性】
【００７７】
以上のように、本発明は、スライド継手およびそれを用いた接続構造について有用である。
【図面の簡単な説明】
【００７８】
【図１】実施形態に係る排水システムの構成を示す図である。
【図２】スライド継手の側面断面図である。
【図３】図１の状態におけるスライド継手および挿入管の一部を示す側面断面図である。
【図４】スライド継手内の最も奥側まで挿入管を挿入した際のスライド継手および挿入管の一部を示す側面断面図である。
【図５】接続構造の取り付け時における排水システムを示す図である。
【図６】変形例１に係るスライド継手および挿入管の一部を示す斜視図である。
【図７】変形例１に係るスライド継手および挿入管の一部を示す側面断面図である。
【図８】変形例２に係るスライド継手および挿入管の一部を示す側面断面図である。
【図９】変形例３に係るスライド継手および挿入管の一部を示す側面断面図である。
【図１０】変形例３に係るスライド継手および挿入管の一部を示す側面断面図である。
【図１１】変形例４に係るスライド継手および挿入管の一部を示す側面断面図である。
【図１２】図１１のＸＩＩ−ＸＩＩ断面図である。
【図１３】変形例４に係るスライド継手および挿入管の一部を示す側面断面図である。
【図１４】変形例５に係るスライド継手および挿入管の一部を示す側面断面図である。
【図１５】変形例５に係るスライド継手および挿入管の一部を示す側面断面図である。
【図１６】変形例６に係るスライド継手および挿入管の一部を示す側面断面図である。
【図１７】変形例６に係るスライド継手および挿入管の一部を示す側面断面図である。
【符号の説明】
【００７９】
１      排水システム
２      排水管路
３      排水ます
４      貫通管
５      継手
５ａ    受け口
６      本体
７      流入部
７ａ    受け口
１０      接続構造
１１      スライド継手
１２      挿入管
１２ａ    外壁面
２１      直管部
２１ａ    開口
２１ｂ    内壁面部
２２      曲管部
２２ａ    内壁面
２３      受け口（連結部）
２４      シール部材
２５      差し口（連結部）
【図１】
2009041632.tif 000003
【図２】
2009041632.tif 000004
【図３】
2009041632.tif 000005
【図４】
2009041632.tif 000006
【図５】
2009041632.tif 000007
【図６】
2009041632.tif 000008
【図７】
2009041632.tif 000009
【図８】
2009041632.tif 000010
【図９】
2009041632.tif 000011
【図１０】
2009041632.tif 000012
【図１１】
2009041632.tif 000013
【図１２】
2009041632.tif 000014
【図１３】
2009041632.tif 000015
【図１４】
2009041632.tif 000016
【図１５】
2009041632.tif 000017
【図１６】
2009041632.tif 000018
【図１７】
2009041632.tif 000019
【手続補正書】
【提出日】平成19年11月29日(2007.11.29)
【手続補正１】
【補正対象書類名】明細書
【補正対象項目名】００４８
【補正方法】変更
【補正の内容】
【００４８】
《排水管路２と排水ます３の流入部７との接続手順》
まず、スライド継手１１内に挿入管１２を挿入する。このとき、スライド継手１１の直管部２１の内径Ｌは挿入管１２の外径に略等しい。そのため、挿入管１２は、直管部２１の内部に円滑に挿入されていく。そして、挿入管１２が直管部２１の長さＸと等しい長さだけ挿入されて挿入管１２の一端が直管部２１の他端まで達すると、挿入管１２の一端は曲管部２２の内壁面部２２ａと当接し、それ以上の進入を規制されることとなる。なお、挿入管１２が挿入されることにより、挿入管１２の外壁面１２ａと直管部２１の内壁面２１ｂとの隙間は、凹部２１ｃに嵌め込まれた環状のシール部材２４によって封止される。
【手続補正２】
【補正対象書類名】明細書
【補正対象項目名】００６７
【補正方法】変更
【補正の内容】
【００６７】
内壁面部２２ａの上端部２２ｂをこのように形成した場合、スライド継手１１に挿入された挿入管１２の一端部は、当該テーパ形状の上端部２２ｂに当接してそれ以上の挿入が規制されることとなる。そのため、当該スライド継手１１によれば、当該テーパ形状の上端部２２ｂを設けることにより、挿入管１２の挿入量（直管部２１の長さＸ）をより正確かつ自在に設定することが可能となる。
【手続補正３】
【補正対象書類名】明細書
【補正対象項目名】００７９
【補正方法】変更
【補正の内容】
【００７９】
１      排水システム
２      排水管路
３      排水ます
４      貫通管
５      継手
５ａ    受け口
６      本体
７      流入部
７ａ    受け口
１０      接続構造
１１      スライド継手
１２      挿入管
１２ａ    外壁面
２１      直管部
２１ａ    開口
２１ｂ    内壁面部
２２      曲管部
２２ａ    内壁面部
２３      受け口（連結部）
２４      シール部材
２５      差し口（連結部）